【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
旅行バッグの発送中に旅行バッグに関する情報にアクセスする方法であって、
(a)  ＲＦ旅行バッグタグを前記旅行バッグと関連付けるステップであって、該ＲＦ旅行バッグタグは情報を保存することができる旅行バッグデータ保存装置を含んでおり、該保存情報は前記旅行バッグとその所有者を特定する特定情報と、前記旅行バッグの特徴に関するデータベース情報とを含んでおり、該データベース情報はバッグの行き先、出立地、移動履歴および移動履歴の特徴に関する情報から選択されたものであり、前記ＲＦ旅行バッグタグは、第一ループアンテナと、該第一ループアンテナに作動可能に接続され、第一読み取り器から１５ＭＨｚ未満の低周波数で第一ＲＦ問い合わせ信号を受領し、該ＲＦ問い合わせ信号に対応してＲＦ信号を送信することができるトランシーバと、前記ＲＦ問い合わせ信号に対応して前記データ保存装置と前記トランシーバとの間のデータフローを制御することができるマイクロプロセッサと、前記トランシーバ、前記データ保存装置および前記マイクロプロセッサにエネルギーを提供するエネルギー保存装置とをさらに含んでいるステップと、
(b)  前記保存情報を取得するために前記ＲＦ旅行バッグタグを前記第一読み取り器からの前記第一ＲＦ問い合わせ信号で問い合わせるステップと、
を含んでおり、
前記旅行バッグは第一レベルリポジトリに配置されており、本方法は第一レベルＲＦタグを前記第一レベルレポジトリに関連付けるステップをさらに含み、前記第一レベルＲＦタグは第一レベル情報を保存することができる第一レベルデータ保存装置を含んでおり、保存された前記第一レベル情報は前記第一レベルレポジトリ並びにそこに配置された前記旅行バッグを特定する第一レベル特定情報と、前記第一レベルレポジトリの特徴に関する第一レベルデータベース情報との両方を含んでおり、該第一レベルデータベース情報は前記第一レベルレポジトリの行き先、出立地および履歴特徴に関する情報から選択され、前記第一ＲＦタグは第二ループアンテナと、該第二アンテナに作動可能に接続され、第二読み取り器から１５ＭＨｚ未満の低周波数で第二ＲＦ問い合わせ信号を受領し、該ＲＦ問い合わせ信号に対応してＲＦ信号を送信することができる第二トランシーバと、前記第二ＲＦ問い合わせ信号に対応して前記第一データ保存装置と前記第二トランシーバとの間のデータフローを制御することができる第一レベルマイクロプロセッサと、前記第二トランシーバ、前記第一レベルデータ保存装置および前記第一レベルマイクロプロセッサにエネルギーを提供するエネルギー保存装置とをさらに含んでおり、
本方法は前記第一レベル保存情報を取得するために前記第一レベルＲＦタグを前記読み取り器からの前記第二問い合わせ信号で問い合わせるステップをさらに含んでいることを特徴とする方法。
【請求項２】
前記旅行バッグのＲＦタグがさらに表示装置（例えば、ＬＣＤ）を有し、問い合わせステップ（ｂ）を実行する際に前記記憶される情報の選択を表示する請求項１記載の方法。
【請求項３】
前記旅行バッグのＲＦタグがさらに前記第一ＲＦ問い合わせ信号を用いることによって、問い合わせステップ（ｂ）を実行する際、前記旅行バッグのＲＦタグの問い合わせに応じて指示（例えば、点滅光、ブザー音）を提供するように動作可能な指示装置（例えば、ＬＥＤ）を有する請求項１記載の方法。
【請求項４】
前記旅行バッグを第一レベルのリポジトリ（例えば、パレット／ＵＬＤ）に配置し、前記第一レベルのリポジトリをより高レベルのリポジトリ（例えば、航空機、倉庫の手荷物室）に配置し、さらにより高レベルのＲＦタグを前記より高レベルのリポジトリに関連付けるステップを有し、前記より高レベルのＲＦタグが前記第二読み取り器として機能し、より高レベルの情報を記憶するように動作可能なより高レベルのデータ記憶装置を有し、記憶されるより高レベルの情報が前記より高レベルのリポジトリ（例えば、航空機）と、それに格納した前記第一レベルのリポジトリ（例えば、ＵＬＤ）を識別する識別情報と、前記より高レベルのリポジトリの特徴に関するデータベース情報の両方を有し、前記データベース情報が前記より高レベルのリポジトリの宛先、出所、および履歴的特徴に関する情報から選択され、前記より高レベルのＲＦタグがさらに第三ループアンテナと、前記第三ループアンテナに動作可能なように接続し、前記第一レベルのＲＦタグに前記低周波数で前記第二ＲＦ問い合わせ信号を送信するように動作可能な第三送受信器と、前記より高レベルのデータ記憶装置と前記第三送受信器の間のデータフローを制御するように動作可能なより高レベルのマイクロプロセッサと、前記第三送受信器、より高レベルのデータ記憶装置、および前記より高レベルのマイクロプロセッサにエネルギを提供するためのエネルギ源（例えば、バッテリ、太陽電池、中継器、直接接続外部電力）を有する請求項１〜３のいずれかに記載の方法。
【請求項５】
さらに、ｃ）前記送受信器からステップ（ａ）において中央監視局に前記ＲＦ信号を（例えば、ケーブルまたは高周波数ＲＦによって）送信し、そこで（例えば、一回だけ書き込み可能なＣＤ上に）監査可能な記録を行うステップを有する請求項１記載の方法。
【請求項６】
旅行バッグの発送中に旅行バッグに関する情報にアクセスするシステムであって、該旅行バッグは第一レベルレポジトリに配置されており、本システムは、
(a)前記旅行バッグと関連するＲＦ旅行バッグタグであって、該ＲＦ旅行バッグタグは情報を保存することができる旅行バッグデータ保存装置を含んでおり、該保存情報は前記旅行バッグとその所有者を特定する特定情報と、前記旅行バッグの特徴に関するデータベース情報とを含んでおり、該データベース情報はバッグの行き先、出立地、移動履歴および移動履歴の特徴に関する情報から選択されたものであり、前記ＲＦ旅行バッグタグは、第一ループアンテナと、該第一ループアンテナに作動可能に接続され、第一読み取り器から１５ＭＨｚ未満の低周波数で第一ＲＦ問い合わせ信号を受領し、該ＲＦ問い合わせ信号に対応してＲＦ信号を送信することができるトランシーバと、前記ＲＦ問い合わせ信号に対応して前記データ保存装置と前記トランシーバとの間のデータフローを制御することができるマイクロプロセッサと、前記トランシーバ、前記データ保存装置および前記マイクロプロセッサにエネルギーを提供するエネルギー保存装置とをさらに含んでいるＲＦ旅行バッグタグと、
(b)前記保存情報を取得するために前記ＲＦ旅行バッグタグを前記第一ＲＦ問い合わせ信号で問い合わせる前記第一読み取り器と、
(c)第一レベルレポジトリと関連する第一レベルＲＦタグであって、第一レベル情報を保存することができる第一レベルデータ保存装置を含んでおり、保存された前記第一レベル情報は前記第一レベルレポジトリ並びにそこに配置された前記旅行バッグを特定する第一レベル特定情報と、前記第一レベルレポジトリの特徴に関する第一レベルデータベース情報との両方を含んでおり、該第一レベルデータベース情報は前記第一レベルレポジトリの行き先、出立地および履歴特徴に関する情報から選択され、前記第一ＲＦタグは第二ループアンテナと、該第二アンテナに作動可能に接続され、第二読み取り器から１５ＭＨｚ未満の低周波数で第二ＲＦ問い合わせ信号を受領し、該ＲＦ問い合わせ信号に対応してＲＦ信号を送信することができる第二トランシーバと、前記第二ＲＦ問い合わせ信号に対応して前記第一データ保存装置と前記第二トランシーバとの間のデータフローを制御することができる第一レベルマイクロプロセッサと、前記第二トランシーバ、前記第一レベルデータ保存装置および前記第一レベルマイクロプロセッサにエネルギーを提供するエネルギー保存装置とをさらに含んでいる第一レベルＲＦタグと、
(d)前記第一レベル保存情報を取得するために前記第一レベルＲＦタグを前記第二問い合わせ信号で問い合わせることができる前記第二読み取り器と、
を含んでいることを特徴とするシステム。
【請求項７】
前記旅行バッグのＲＦタグがさらに表示装置（例えば、ＬＣＤ）を有し、問い合わせステップ（ｂ）を実行する際に前記記憶される情報の選択を表示する請求項６記載のシステム。
【請求項８】
前記旅行バッグのＲＦタグがさらに前記第一ＲＦ問い合わせ信号を用いることによって、問い合わせステップ（ｂ）を実行する際、前記旅行バッグのＲＦタグの問い合わせに応じて、指示（例えば、点滅光、ブザー音）を提供するように動作可能な指示装置（例えば、ＬＥＤ）を有する請求項６記載のシステム。
【請求項９】
前記旅行バッグを第一レベルのリポジトリ（例えば、パレット／ＵＬＤ）に配置し、前記第一レベルのリポジトリをより高レベルのリポジトリ（例えば、航空機、倉庫の手荷物室）に配置し、さらにより高レベルのＲＦタグを前記より高レベルのリポジトリに関連付け、前記より高レベルのＲＦタグが前記第二読み取り器として機能し、より高レベルの情報を記憶するように動作可能なより高レベルのデータ記憶装置を有し、記憶されるより高レベルの情報が前記より高レベルのリポジトリ（例えば、航空機）と、それに格納した前記第一レベルのリポジトリ（例えば、ＵＬＤ）を識別する識別情報と、前記より高レベルのリポジトリの特徴に関するデータベース情報の両方を有し、前記データベース情報が前記より高レベルのリポジトリの宛先、出所、および履歴的特徴に関する情報から選択され、前記より高レベルのＲＦタグがさらに第三ループアンテナと、前記第三ループアンテナに動作可能なように接続し、前記第一レベルのＲＦタグに前記低周波数で前記第二ＲＦ問い合わせ信号を送信するように動作可能な第三送受信器と、前記より高レベルのデータ記憶装置と前記第三送受信器の間のデータフローを制御するように動作可能なより高レベルのマイクロプロセッサと、前記第三送受信器、より高レベルのデータ記憶装置、および前記より高レベルのマイクロプロセッサにエネルギを提供するためのエネルギ源（例えば、バッテリ、太陽電池、中継器、直接接続外部電力）を有する請求項６記載のシステム。
【請求項１０】
旅行バッグの発送中に旅行バッグに関する情報にアクセスするシステムで使用される第一レベルＲＦタグあって、
該旅行バッグは請求項６〜９記載の旅行バッグＲＦタグを取り付けており、該旅行バッグＲＦタグは情報を保存することができるデータ保存装置を含んでおり、該保存情報は前記旅行バッグを特定する特定情報と、前記旅行バッグの特徴に関するデータベース情報との両方を含んでおり、該データベース情報はバッグの行き先、出立地、所有者特定、旅行バッグおよび所有者の移動履歴並びに移動履歴の特徴に関する情報から選択されたものであり、前記ＲＦ旅行バッグタグは、第一ループアンテナと、該第一ループアンテナに作動可能に接続され、第一読み取り器から１５ＭＨｚ未満の低周波数でＲＦ問い合わせ信号を受領し、該ＲＦ問い合わせ信号に対応してＲＦ信号を送信することができるトランシーバと、前記ＲＦ問い合わせ信号に対応して前記データ保存装置と前記トランシーバとの間のデータフローを制御することができるマイクロプロセッサと、前記トランシーバ、前記データ保存装置および前記マイクロプロセッサにエネルギーを提供するエネルギー保存装置とをさらに含んでおり、前記旅行バッグは第一レベルレポジトリに配置されており、前記第一レベルＲＦタグは前記第一レベルレポジトリに関連付けられており、前記第一レベルＲＦタグは第一レベル情報を保存できる第一レベルデータ保存装置を含んでおり、保存された前記第一レベル情報は前記第一レベルレポジトリ並びにそこに配置された前記旅行バッグを特定する第一レベル特定情報と、前記第一レベルレポジトリの特徴に関する第一レベルデータベース情報との両方を含んでおり、該第一レベルデータベース情報は前記第一レベルレポジトリの行き先、出立地および履歴特徴に関する情報から選択され、前記第一ＲＦタグは第二ループアンテナと、該第二アンテナに作動可能に接続され、第二読み取り器から１５ＭＨｚ未満の低周波数で第二ＲＦ問い合わせ信号を受領し、該ＲＦ問い合わせ信号に対応してＲＦ信号を送信することができる第二トランシーバと、前記第二ＲＦ問い合わせ信号に対応して前記第一データ保存装置と前記第二トランシーバとの間のデータフローを制御することができる第一レベルマイクロプロセッサと、前記第二トランシーバ、前記第一レベルデータ保存装置および前記第一レベルマイクロプロセッサにエネルギーを提供するエネルギー源とをさらに含んでおり、前記第二読み取り器は前記第一レベル保存情報を取得するために前記第一レベルＲＦタグを前記第二問い合わせ信号で問い合わせることができることを特徴とする第一レベルＲＦタグ。
【請求項１１】
旅行バッグの発送中に旅行バッグに関する情報にアクセスするシステムで使用される高レベルＲＦタグあって、前記旅行バッグは第一レベルレポジトリに配置されており、該第１レベルレポジトリは請求項１０記載の第１レベルＲＦタグを含んでおり、前記第１レベルレポジトリは高レベルレポジトリに配置されており、前記高レベルタグは前記高レベルレポジトリと関連付けられており、前記高レベルＲＦタグは第二読み取り器として機能し、高レベル情報を保存することができる高レベルデータ保存装置を含み、保存された前記高レベル情報は、前記高レベルレポジトリ、そこに保存された前記第一レベルレポジトリ、および該第一レベルレポジトリに保存された前記旅行バッグを特定する特定情報と、前記高レベルレポジトリの特徴に関するデータベース情報との両方を含んでおり、前記データベース情報は前記高レベルレポジトリの行き先、出立地および履歴特徴であり、前記高レベルＲＦタグは第三ループアンテナと、該第三ループアンテナに作動可能に接続され、前記第一レベルＲＦタグに低周波数で前記第二ＲＦ問い合わせ信号を送信することができる第三トランシーバと、前記高レベルデータ保存装置と前記第三トランシーバとの間のデータフローを制御することができる高レベルマイクロプロセッサと、前記第三トランシーバ、前記高レベルデータ保存装置および前記高レベルマイクロプロセッサにエネルギーを提供するためのエネルギー源とをさらに含んでいることを特徴とする高レベルＲＦタグ。
【請求項１２】
各々がＲＦＩＤタグを保持する複数の旅行バッグを有するリポジトリ（例えば、航空機の保管部、空港の手荷物室）が、前記リポジトリに存在することを知られていない未記録の旅行バッグを有するかどうかを決定する方法であって、
ａ）前記リポジトリに含まれることを知られている各旅行バッグの識別コードに対応する問い合わせ信号を送信し、前記問い合わせ信号が前記リポジトリ（例えば、航空機の保管部、空港の手荷物室）内で、ＲＦＩＤタグを保持する旅行バッグの存在を確かめるように動作可能な確認応答信号を呼び出すように動作可能であり、前記ＲＦＩＤタグが前記識別コードを記憶し、
ｂ）前記ＲＦＩＤタグの各々をプログラミングし、前記ＲＦＩＤタグが各々所定の期間内で前記確認応答信号を送出しない場合だけ、自発的密航信号を自動的に送出するステップを有する方法。
【請求項１３】
プログラミングステップ（ｂ）が前記ＲＦＩＤタグの各々に所定の問い合わせ信号をそれに送信する際、前記密航信号を送出するように要求する請求項１２記載の方法。
【請求項１４】
前記所定の問い合わせ信号が、前記リポジトリにおいて、任意の旅行バッグによって保持された任意のＲＦＩＤタグの識別コードに一致しない識別コードに対応する請求項１３記載の方法。
【請求項１５】
リポジトリ（例えば、航空機の保管部、空港の手荷物室）において各旅行バッグによって保持されたＲＦＩＤタグであって、
ａ）識別（ＩＤ）コードを記憶するように動作可能なデータ記憶装置と、
ｂ）前記ＩＤコードに対応する問い合わせ信号の受信を確認するように動作可能なＲＦ送受信器を有し、所定の期間内に前記ＩＤコードに対応する問い合わせ信号を受け取っていない限り、前記ＲＦ送受信器が自動的に密航信号を送出するように動作可能であり、前記旅行バッグが前記リポジトリに存在していることを知らないことの指示として前記密航信号が用いられるＲＦＩＤタグ。
【請求項１６】
所定の問い合わせ信号を受け取る際に、前記密航信号が送出される請求項１５記載のＲＦＩＤタグ。
【請求項１７】
前記所定の問い合わせ信号が、前記リポジトリ（例えば、航空機の保管部、空港の手荷物室）において、任意の旅行バッグによって保持された任意のＲＦＩＤタグの識別コードに一致しない識別コードに対応する請求項１６記載のＲＦＩＤタグ。
【請求項１８】
各々がＲＦＩＤタグを保持する複数の旅行バッグを有するリポジトリ（例えば、航空機の保管部、空港の手荷物室）が、前記リポジトリに存在することを知られていない未記録の旅行バッグを有するかどうかを決定するシステムであって、
ａ）前記リポジトリに存在していることを知られている各ＲＦＩＤタグの識別コードに対応する問い合わせ信号を送信するように動作可能な読み取り器と、
ｂ）その識別コードを記憶するための前記ＲＦＩＤタグの各々内のデータ記憶装置と、
ｃ）前記ＲＦＩＤタグの各々内で、前記問い合わせ信号が前記ＲＦＩＤタグの各々の記憶装置に記憶した識別コードに対応するとき、前記問い合わせ信号に応じて確認応答信号を送信し、前記識別コードを記憶しているＲＦＩＤタグを保持する旅行バッグの存在を確認するように動作可能であり、所定の期間内に前記確認応答信号を送出しなかった場合のみ、自発的密航信号を自動的に送信するように動作可能な送受信器と、前記送受信器を駆動するように動作可能なエネルギ蓄積装置（例えば、バッテリ、太陽電池）を有するシステム。
【請求項１９】
前記送受信器が各々、所定の問い合わせ信号をそれに送信する際、前記密航信号を送信するように動作可能な請求項１８記載のシステム。
【請求項２０】
前記所定の問い合わせ信号が、前記リポジトリ（例えば、航空機の保管部、空港の手荷物室）において、任意の旅行バッグによって保持された任意のＲＦＩＤタグの識別コードに一致しない識別コードに対応する請求項１９記載のシステム。
【請求項２１】
無線ラジオ周波数（ＲＦ）信号を通信するために動作可能であって、それと一体化したアンテナを有する旅行バッグ。
【請求項２２】
前記一体化したアンテナをその内部に組み込んだ請求項２１記載の旅行バッグ。
【請求項２３】
前記一体化したアンテナが、その寸法と実質的に同じ大きさの寸法を有する請求項２１記載の旅行バッグ。
【請求項２４】
前記ＲＦ信号が、１５ＭＨｚを超えない周波数（例えば、１２８ｋＨｚ）を有する請求項２１記載の旅行バッグ。
【請求項２５】
さらに、それに取り付けた（例えば、それと一体化した）ＲＦＩＤタグを有し、前記ＲＦＩＤタグが前記一体化したアンテナに無線ＲＦ信号を送信するように動作可能な送受信器を有する請求項２３記載の旅行バッグ。
【請求項２６】
さらに、それに取り付けた（例えば、それと一体化した）ＲＦＩＤタグを有し、前記ＲＦＩＤタグが送受信器と、前記一体化したアンテナに無線ＲＦ信号を送信するように動作可能な（好ましくは一体化したアンテナよりずっと小さい）タグアンテナを有する請求項２１記載の旅行バッグ。
【請求項２７】
前記ＲＦＩＤタグが受動型であり、さらに受信器、マイクロプロセッサ、所定のコード（例えば、前記旅行バッグまたは前記製品を識別するためのＩＤコード）を記憶するように動作可能なデータ記憶装置、および前記ＲＦＩＤタグを駆動するように動作可能なエネルギ蓄積装置を有し、前記タグアンテナが前記一体化したアンテナから侵入する無線ＲＦ信号を受け取り、それらを前記受信器に通信するように動作可能であり、前記受信器がそれらを前記マイクロプロセッサに通信するように動作可能であり、前記マイクロプロセッサが前記侵入する無線ＲＦ信号の所定の組に応じて、前記データ記憶装置から前記所定のコード（例えば、前記ＩＤコード）を読み取り、前記タグアンテナから前記一体化したアンテナに無線的に前記所定のコードを送信するように動作可能であり、前記一体化したアンテナがそれに応じて、フィールドアンテナに無線的に前記ＩＤコードを送信するように動作可能な請求項２６記載の旅行バッグ。
【請求項２８】
その内部に組み込んだＲＦＩＤタグを有する請求項２１記載の旅行バッグ。
【請求項２９】
前記組み込んだアンテナが、フェライトループを有する請求項２４記載の旅行バッグ。
【請求項３０】
前記一体化したアンテナが、その二つの実質的に直交する寸法の各々で、その内部に一体化したループを有する請求項２１記載の旅行バッグ。
【請求項３１】
前記アンテナが、前記旅行バッグの寸法まで拡大した寸法を備えることによって、優れた信号強度で受信するように設計したループアンテナである請求項２３記載の旅行バッグ。
【請求項３２】
それと一体化したエネルギ蓄積装置を有し、前記ＲＦＩＤタグを駆動するように動作可能な請求項２５記載の旅行バッグ。
【請求項３３】
前記容器の表面上に前記ＲＦＩＤタグを配置し、それを収縮包装する際、前記容器の密閉を示す密閉信号を生成するように動作可能な請求項２５記載の旅行バッグ。
【請求項３４】
前記ＲＦＩＤタグがさらに、前記容器内に配置したセンサを有し、前記製品によって経験される状態の信号特性を生成するように動作可能な請求項２３記載の旅行バッグ。
【請求項３５】
前記状態が、旅行バッグの位置（例えば、ＧＰＳ座標）、温度、露光量、重量、湿度、および衝撃インパルス（寸動）から選択される請求項３４記載の旅行バッグ。